(57)【要約】【課題】  従来、容積の大きなクリーム包装体では、クリームを泡立てたいときに容器を振ることにより泡立てられるが、クリームを泡立てたくないときに振動により泡立ってしまうことがあった。クリームが泡立つと品質が低下しやすい問題があった。一方、容積の小さなクリーム包装体では、クリームを泡立てるときには、容積の大きな第二の容器にクリームを移し替えて容器を振って泡立てたり、ボールにクリームを移して泡立て器で泡立てたりする必要があった。しかし、容器を移しかえるときにクリームが残る無駄、第二の容器、ボール及び泡立て器からの臭い移り、第二の容器、ボール及び泡立て器の洗浄及び乾燥の煩雑さなどの問題があった。【解決手段】  輸送時及び保存時に泡立ちにくくするため、容器の容積が小さな形態にしておく。泡立てたいときに容器の容量が増加する形態にし、容器を振ることでクリームを泡立てることができ、容器の開口部より泡立てたクリームを搾り出すことができる。【選択図】図１
2007210683.tif 000002
【特許請求の範囲】
【請求項１】
容器とクリームよりなるクリーム包装体であり、容器の中にクリームが入っていて、容器は第一の形態と第二の形態をとることができ、第二の形態は第一の形態よりも容積が大きいので容器を振ることによりクリームを泡立てられる。
【発明の詳細な説明】
【技術分野】
【０００１】本発明は、輸送時及び保存時には泡立ちにくく、泡立てたいときに泡立てやすしいクリーム包装体に関する。
【背景技術】
【０００２】従来、容積の大きなクリーム包装体では、クリームを泡立てたいときに容器を振ることにより泡立てられるが、クリームを泡立てたくないときに振動により泡立ってしまうことがあった。一方、容積の小さなクリーム包装体では、クリームを泡立てるときには、容積の大きな容器にクリームを移し替えて容器を振って泡立てたり、ボールにクリームを移して泡立て器で泡立てたりする必要があった。
【発明の開示】
【発明が解決しようとする課題】
【０００３】従来、容積の大きなクリーム包装体では、クリームを泡立てたいときに容器を振ることにより泡立てられるが、クリームを泡立てたくないときに振動により泡立ってしまうことがあった。クリームが泡立つと品質が低下しやすい問題があった。一方、容積の小さなクリーム包装体では、クリームを泡立てるときには、容積の大きな第二の容器にクリームを移し替えて容器を振って泡立てたり、ボールにクリームを移して泡立て器で泡立てたりする必要があった。しかし、容器を移しかえるときにクリームが残る無駄、第二の容器、ボール及び泡立て器からの臭い移り、第二の容器、ボール及び泡立て器の洗浄及び乾燥の煩雑さなどの問題があった。【０００４】本発明において、「クリーム」とは、生クリーム、及び生クリームに準じて使用される油脂組成物等の総称である。また、「空気」は気体であればよく、窒素、二酸化炭素、酸素、それらの混合物などが考えられるが、それらに限定しない。
【課題を解決するための手段】
【０００５】輸送時及び保存時に泡立ちにくくするため、容器の容積が小さな形態にしておく。泡立てたいときに容器の容量が増加する形態にし、容器を振ることでクリームを泡立てることができ、容器の開口部より泡立てたクリームを搾り出すことができる。
【発明の効果】
【０００６】容器の容積が小さな形態にしておくことで、輸送時及び保存時に泡立ちにくくできる。泡立てたいときに容器の容量が増加する形態にし容器を振ることで、容器を移し変えたり他の器具を使ったりすることなくクリームを泡立てることができ、容器の開口部より泡立てたクリームを搾り出すことができる。
【実施例】
【０００７】（実施例１）図１は本発明によるクリーム包装体である。容器１の開口部には口金２とキャップ３が嵌めらており、容器１の中にはクリーム５、窒素６、おもり４が入っている。容器１はつぶされて容積が小さくなっているため窒素６の容量は少なく、容器１を振ってもクリーム５は泡立ちにくい。キャップ３を開くことにより容器１内に空気が入り、元から入っていた窒素６と交じり合い空気６ａとなり、容器１の容積は増加する。このとき、口金２を外して砂糖やココアパウダーなどを入れても良い。この後キャップ３を再び閉じた様子が図２である。容器１を振ることにより、クリーム５は攪拌される。おもり４はクリーム５の攪拌を促進する。クリーム５は泡だったクリーム５ａとなり、容器内には空気６ｂが残る。このときの様子が図３である。この後、キャップ３を開いて容器１を逆さまにし、容器１をつぶすことにより、口金の穴から泡だったクリーム５ａを搾り出すことができる。また、口金２を外すことにより、泡だったクリーム５ａを短時間に容器から出すこともできる。クリーム５ａが余った場合はキャップ３を嵌めることにより、容器１から他の容器に移し替えることなく保存することができる。【０００８】（実施例２）図４は本発明による別のクリーム包装体である。二枚のシートの一部を溶着することにより空洞７と空洞８が形成されている。空洞７にはクリーム５と窒素６が入っている。空洞７の容積は小さいため窒素６の容量は少なく、容器１を振ってもクリーム５は泡立ちにくい。空洞８には空気９が入っている。空洞８には泡立ちやすくするためのペクチンや風味を増すためのナッツなどを入れておくこともできる。空洞７と空洞８の境界１０は他の溶着部よりも弱く溶着されている。容器１を平らな面におき空洞７を手のひらで押すことにより、境界１０が破壊され、空洞７と空洞８を一体化させる通路１０ａとなる。通路１０ａが形成された様子が図５である。窒素６と空気９は混ざり合い空気６ａとなる。容器１を振ることにより、クリーム５と空気６ａが混ざり合った様子が図６である。クリーム５は泡立ったクリーム５ａとなり、容器内に空気６ｂが残る。この後、ノッチ１１を破り絞り口１２が形成された様子が図７である。ノッチは複数あるので、搾り出したい太さにあわせてノッチを選べる。また、絞り口に樹脂成型品の口金やキャップを付けておくこともできる。【０００８】（実施例３）図８は本発明による別のクリーム包装体である。シリンジ状の容器１にクリーム５が入っている。押し子１３は前方にあるため、容器１の容積は小さく、クリームが泡立つことはない。キャップ３を外し、押し子１３を後方に引くことにより、本体１の容積が増加する。再びキャップを嵌め、本体１を振ることによりクリーム５を泡立てることができる。キャップ３を外し、押し子１３を押すことにより泡立ったクリームを搾り出すことができる。
【図面の簡単な説明】
【０００９】
【図１】本発明の実施例１を示す断面図である。
【図２】本発明の実施例１を示す断面図である。
【図３】本発明の実施例１を示す断面図である。
【図４】本発明の実施例２を示す側面図である。
【図５】本発明の実施例２を示す側面図である。
【図６】本発明の実施例２を示す側面図である。
【図７】本発明の実施例２を示す側面図である。
【図８】本発明の実施例３を示す断面図である。
【符号の説明】
【００１０】１  容器
２  口金
３  キャップ
４  おもり
５  クリーム
５ａ  泡立てられたクリーム
６  窒素
６ａ  空気
６ｂ  空気
７  空洞
８  空洞
９  空気
１０  境界
１０ａ  通路
１１  ノッチ
１２  絞り口
１３  押し子
【図１】
2007210683.tif 000003
【図２】
2007210683.tif 000004
【図３】
2007210683.tif 000005
【図４】
2007210683.tif 000006
【図５】
2007210683.tif 000007
【図６】
2007210683.tif 000008
【図７】
2007210683.tif 000009
【図８】
2007210683.tif 000010